(57)【特許請求の範囲】
【請求項１】
文書画像を入力する画像入力手段と、
前記画像入力手段により入力された文書画像から二値画像データを作成する二値画像作成手段と、
前記二値画像作成手段により作成された二値画像データから、前記文書画像に含まれる画像の属性に応じたレイアウト解析データを生成するレイアウト解析手段と、
前記レイアウト解析データに基づいて分割された前記文書画像の各領域毎に、前記入力された文書画像或は二値画像のうちいずれかを切取り先画像として選択する切取り先選択手段と、
前記切取り先選択手段により選択された画像から部分画像を切取る部分画像切取り手段と、
前記部分画像切取り手段により切取った部分画像を保存する画像保存手段と、
前記画像保存手段に保存された前記部分画像を基に前記文書画像を再生する文書画像再生手段と、
前記部分画像の再生条件を設定する再生レベル設定手段と有し、
前記文書画像再生手段は、設定された前記再生条件に応じて下地画像と前記保存された全ての部分画像を合成して１ページの画像として再生するか、或は前記文書画像の各部分画像毎に１ページの画像として再生するかを決定することを特徴とする画像処理装置。
【請求項２】
前記画像保存手段は、前記レイアウト解析データに応じて分割された前記文書画像の各領域の属性に応じて前記各部分画像に対して圧縮処理を行って保存することを特徴とする請求項１に記載の画像処理装置。
【請求項３】
前記画像保存手段は、前記部分画像の数、各部分画像のサイズ、画像タイプ、及びその圧縮方式に関する情報を保存することを特徴とする請求項２に記載の画像処理装置。
【請求項４】
文書画像を入力する画像入力工程と、
前記画像入力工程で入力された文書画像から二値画像データを作成する二値画像作成工程と、
前記二値画像作成工程で作成された二値画像データから、前記文書画像に含まれる画像の属性に応じたレイアウト解析データを生成するレイアウト解析工程と、
前記レイアウト解析データに基づいて分割された前記文書画像の各領域毎に、前記入力された文書画像或は二値画像のうちいずれかを切取り先画像として選択する切取り先選択工程と、
前記切取り先選択工程で選択された画像から部分画像を切取る部分画像切取り工程と、
前記部分画像切取り工程で切取った部分画像を保存する画像保存工程と、
前記画像保存工程で保存された前記部分画像を基に前記文書画像を再生する文書画像再生工程と、
前記部分画像の再生の条件を設定する再生レベル設定工程と有し、
前記文書画像再生工程では、設定された前記再生条件に応じて下地画像と前記保存された全ての部分画像を合成して１ページの画像として再生するか、或は前記文書画像の各部分画像毎に１ページの画像として再生するかを決定することを特徴とする画像処理方法。
【請求項５】
前記画像保存工程は、前記レイアウト解析データに応じて分割された前記文書画像の各領域の属性に応じて前記各部分画像に対して圧縮処理を行って保存することを特徴とする請求項４に記載の画像処理方法。
【請求項６】
前記画像保存工程は、前記レイアウト解析データに応じて前記文書画像を分割した部分画像の数、各部分画像のサイズ、画像タイプ、及びその圧縮方式に関する情報を保存することを特徴とする請求項５に記載の画像処理方法。
【請求項７】
文書画像を入力して保存し、それらを再生する画像処理方法をコンピュータに実行させるプログラムを記憶するコンピュータにより読取り可能な記憶媒体であって、
文書画像を入力する画像入力工程モジュールと、
前記画像入力工程モジュールで入力された文書画像から二値画像データを作成する二値画像作成工程モジュールと、
前記二値画像作成工程モジュールで作成された二値画像データから、前記文書画像に含まれる画像の属性に応じたレイアウト解析データを生成するレイアウト解析工程モジュールと、
前記レイアウト解析データに基づいて分割された前記文書画像の各領域毎に、前記入力された文書画像或は二値画像のうちいずれかを切取り先画像として選択する切取り先選択工程モジュールと、
前記切取り先選択工程モジュールで選択された画像から部分画像を切取る部分画像切取り工程モジュールと、
前記部分画像切取り工程モジュールで切取った部分画像を保存する画像保存工程モジュールと、
前記画像保存工程モジュールで保存された前記部分画像を基に前記文書画像を再生する文書画像再生工程モジュールと、
前記部分画像の再生の条件を設定する再生レベル設定工程モジュールと有し、
前記文書画像再生工程モジュールは、設定された前記再生条件に応じて下地画像と前記保存された全ての部分画像を合成して１ページの画像として再生するか、或は前記文書画像の各部分画像毎に１ページの画像として再生するかを決定することを特徴とする記憶媒体。
【請求項８】
前記画像保存工程モジュールは、前記レイアウト解析データに応じて分割された前記文書画像の各領域の属性に応じて前記各部分画像に対して圧縮処理を行って保存することを特徴とする請求項７に記載の記憶媒体。
【請求項９】
前記画像保存工程モジュールは、前記レイアウト解析データに応じて前記文書画像を分割した部分画像の数、各部分画像のサイズ、画像タイプ、及びその圧縮方式に関する情報を含むことを特徴とする請求項８に記載の記憶媒体。
【発明の詳細な説明】
【０００１】
【発明の属する技術分野】
本発明は、文書画像を入力して保存し、それらを再生する画像処理装置及びその方法に関するものである。
【０００２】
【従来の技術】
従来、文書画像を入力して処理する装置としては、例えば文書及び画像などが印刷された原稿を光学的に読み取って入力し、その原稿画像を印刷して出力する複写機や、その光学的に入力した原稿画像を保存する文書データベースシステムや、その原稿画像をネットワーク等を介して伝送するファクシミリ装置等があった。
【０００３】
【発明が解決しようとする課題】
しかしながら、このような従来の装置では、デジタル化やネットワーク化に適応できなくなっている。具体的には、原稿画像のカラー化により、原稿画像をそのまま保存したり、ネットワークを介して配信したのでは、その画像データの量が膨大なものとなる。また、画像データの圧縮に際して、その原稿画像の画像データを一律に圧縮したのでは、再利用に適した画質を保つことができない。また、その原稿画像を出力する出力機器が、白黒プリンタやカラープリンタ等といった違いによって、その出力画像の画質が劣化してしまう等の課題があった。
【０００４】
本発明は上記従来例に鑑みてなされたもので、入力した文書画像のデータ量を削減して記憶し、それらを読み出して高品位に再生できる画像処理装置及びその方法を提供することを目的とする。
【０００５】
【課題を解決するための手段】
上記目的を達成するために本発明の画像処理装置は以下のような構成を備える。即ち、
文書画像を入力する画像入力手段と、
前記画像入力手段により入力された文書画像から二値画像データを作成する二値画像作成手段と、
前記二値画像作成手段により作成された二値画像データから、前記文書画像に含まれる画像の属性に応じたレイアウト解析データを生成するレイアウト解析手段と、
前記レイアウト解析データに基づいて分割された前記文書画像の各領域毎に、前記入力された文書画像或は二値画像のうちいずれかを切取り先画像として選択する切取り先選択手段と、
前記切取り先選択手段により選択された画像から部分画像を切取る部分画像切取り手段と、
前記部分画像切取り手段により切取った部分画像を保存する画像保存手段と、
前記画像保存手段に保存された前記部分画像を基に前記文書画像を再生する文書画像再生手段と、
前記部分画像の再生条件を設定する再生レベル設定手段と有し、
前記文書画像再生手段は、設定された前記再生条件に応じて下地画像と前記保存された全ての部分画像を合成して１ページの画像として再生するか、或は前記文書画像の各部分画像毎に１ページの画像として再生するかを決定することを特徴とする。
【０００６】
上記目的を達成するために本発明の画像処理方法は以下のような工程を備える。即ち、
文書画像を入力する画像入力工程と、
前記画像入力工程で入力された文書画像から二値画像データを作成する二値画像作成工程と、
前記二値画像作成工程で作成された二値画像データから、前記文書画像に含まれる画像の属性に応じたレイアウト解析データを生成するレイアウト解析工程と、
前記レイアウト解析データに基づいて分割された前記文書画像の各領域毎に、前記入力された文書画像或は二値画像のうちいずれかを切取り先画像として選択する切取り先選択工程と、
前記切取り先選択工程で選択された画像から部分画像を切取る部分画像切取り工程と、
前記部分画像切取り工程で切取った部分画像を保存する画像保存工程と、
前記画像保存工程で保存された前記部分画像を基に前記文書画像を再生する文書画像再生工程と、
前記部分画像の再生の条件を設定する再生レベル設定工程と有し、
前記文書画像再生工程では、設定された前記再生条件に応じて下地画像と前記保存された全ての部分画像を合成して１ページの画像として再生するか、或は前記文書画像の各部分画像毎に１ページの画像として再生するかを決定することを特徴とする。
【０００７】
【発明の実施の形態】
以下、添付図面を参照して本発明の好適な実施の形態を詳細に説明する。
【０００８】
図１は、本実施の形態１に係る画像処理システムの機能構成を示す機能ブロック図である。
【０００９】
図１において、１０１は入力される文書で、印刷物やコンピュータ上で扱う画像データ等を含む文書原稿である。１０２は画像入力部で、例えばスキャナ等を有し、文書１０１を読み取って画像信号として入力する。１０３は画像入力部１０２から入力された原画像データである。１０４は二値画像出力部で、入力文書１０１の画像信号から二値画像データ１０５を作成して出力する。１０６はレイアウト解析部で、二値画像データ１０５を基に、その入力された文書画像を図やテキストや表等の各種属性に対応する領域に分割した情報、即ち、レイアウト解析データ１０７を出力する。１０８は文書画像理解保存部で、入力文書原画像１０３及び二値画像データ１０５から適応的に保存条件を変更しながら文書画像理解データを保存する。１０９は文書画像理解データ出力部で、文書画像理解保存部１０８に記憶されている文書画像理解データ１１０を読み出して出力する。１１１は文書画像理解データ入力部で、文書画像理解データ出力部１０９から出力される文書画像理解データ１１０を入力する。１１２は文書画像理解再生部で、文書画像理解データ１１０から適応的に再生条件を変更しながら文書画像を作成する。１１３は再生される文書画像データ、１１４は再生文書画像データ１１３を出力する画像出力部、１１５は、最終的に再生されて出力される出力文書である。
【００１０】
図２は、本実施の形態１に係る画像処理システムの構成を説明する概念図である。
【００１１】
図２において、２０１は文書画像の理解処理を行うコンピュータで、図１の二値画像出力部１０４、レイアウト解析部１０６等に相当している。２０２はデータを保存する記憶装置で、図１の文書画像理解保存部１０８に該当している。２０３はスキャナで、原稿画像を読み取って光電的に画像を入力している。２０４はカラープリンタである。２０５はファクシミリ、２０６はカラー画像の入力及びプリント出力を複合的に行うデジタルカラー複写機である。２０７はプリンタ２０８を管理するプリンタサーバ、２０８はモノクロプリンタである。２０９はデータべ−スを管理するファイルサーバ、２１０はデータべ−ス、２１１はモノクロ画像の入力及びプリント出力を複合的に行うデジタル複写機である。２１２は上述した各デジタル機器同士を接続するネットワークである。この構成において、画像入力部１０２は、スキャナ２０３や複写機２０６、２１１等のスキャナ部、更にはファクシミリ装置２０５の原稿読取り部にも相当している。また画像出力部１１４は、プリンタ２０４、２０８、及び複写機２０６，２１１のプリンタ部、更にはファクシミリ装置２０５のプリンタ部などが相当している。
【００１２】
次に本実施の形態に係る画像処理システムにおける処理の流れについて説明する。
【００１３】
図３は、本実施の形態に係る画像処理システムにおける処理の流れを説明するフローチャートである。
【００１４】
本実施の形態では、２４ビット多値画像をスキャナ２０３や複写機２０６などより入力し、ネットワーク２１２を介して配信し、その配信先でモノクロプリンタ２０８や複写機２１１或はファクシミリ装置２０５等で出力する場合で説明する。
【００１５】
まずステップＳ３０１で、画像入力部１０２であるスキャナ２０３より文書画像を多値画像として入力する。次にステップＳ３０２に進み、その多値画像データを二値画像出力部１０４により二値画像データ１０５に変換する。そしてステップＳ３０３で、その二値画像データ１０５を基に、レイアウト解析部１０６により、その文書画像に含まれる図やテキストや表等を、各種属性毎に領域に分割し、レイアウト解析データ１０７（図４参照）を出力する。
【００１６】
図４（ａ）（ｂ）において、レイアウト解析データ１０７は、その分割された領域数ｎと、各領域ごとの始点のＸ，Ｙ座標、幅、高さ、及びその属性（テキスト＝１、線図形＝２、絵・写真＝３、表＝４）が記憶されている。
【００１７】
次にステップＳ３０４に進み、文書画像理解保存部１０８において、レイアウト解析データ１０７を基にして、入力文書の原画像である多値画像１０３及び二値画像データ１０５から適応的に保存条件を変更しながら文書画像理解データ１１０を作成して保存する。そしてステップＳ３０５に進み、その文書画像理解データ１１０を出力する。
【００１８】
以下、上記各処理の詳細を説明する。
【００１９】
図５は、本実施の形態に係る文書画像理解保存処理の一例を示すフローチャートである。
【００２０】
まずステップＳ５０１で、各分割領域のレイアウト解析データ１０７を分析して、各領域の領域属性を求める。次にステップＳ５０２に進み、その領域属性を判定し『テキスト』であればステップＳ５０３に進み、切り取り先全体画像として二値画像データ１０５を選択し、ステップＳ５０４で、レイアウト解析データ１０７で指示される各領域の座標データを用いて、その部分画像を切り取る。こうして切り取った部分画像は、ステップＳ５０５において文書画像理解データ１１０（図６参照）として保存処理を行う。
【００２１】
図６（ａ）（ｂ）は、本実施の形態に係る文書画像理解データ１１０の構成を示す図である。
【００２２】
図６において、対象となった部分画像データのレイアウト解析データ１０７内での出現順位をレイアウト領域データのＩＤとし、その切り取り幅、切り取り高さ、画像タイプ、画像サイズ及び切り取った画像を、その部分画像データとして保存する。
【００２３】
またステップＳ５０２で、領域属性が『テキスト』でなかった場合はステップＳ５０６に進み、その切り取り先全体画像として原画像である多値画像を選択し、ステップＳ５０４で、レイアウト解析データ１０７の領域データの座標データを用いて部分画像を切り取る。そしてステップＳ５０５に進み、その切り取った部分画像を、文書画像理解データ１１０（図６）として保存処理を行う。
【００２４】
次にＳ５０７において残りの分割領域が存在しているか否かを調べ、存在していればＳ５０１に戻り、残りの分割領域について上記の処理を繰り返す。ステップＳ５０７で残りの分割領域が存在していなければ、文書画像理解保存処理を終了する。
【００２５】
さらに、本実施の形態では、文書画像理解保存部１０８において作成され、保存された文書画像理解データ１１０は、文書理解データ出力部１０９によりネットワーク２１２上に出力され、このネットワーク２１２を介して利用先に配信される。
【００２６】
こうして文書画像理解データが配信された利用先における処理を、図７のフローチャートを参照して説明する。
【００２７】
図７に示すように、まずステップＳ４０１において、文書理解保存データ入力部１１１により文書画像理解データ１１０を入力し、次にステップＳ４０２において、この文書画像理解データ１１０から適応的に再生条件を変更しながら再生すべき文書画像データ１１３を作成し、その文書画像データ１１３を基に画像出力部１１４であるモノクロプリンタから再生画像を出力文書として出力する（Ｓ４０３）。
【００２８】
図８は、図７のステップＳ４０２の文書画像理解再生処理を示すフローチャートである。
【００２９】
まずステップＳ７０１において、再生文書画像の下地となる画像を白い下地となるように作成する。次にステップＳ７０２に進み、文書画像理解データ１１０から部分画像データを取り出し、ステップＳ７０３において、その取り出した部分画像とその座標データを基に、白い下地画像と合成して再生文書画像データ１１３を作成する。そしてステップＳ７０４で、全ての部分画像に対する処理が終了したかを調べ、終了していなければステップＳ７０２に戻り、前述の処理を繰り返し実行する。
【００３０】
図９は、図８のステップＳ７０３の再生画像合成処理を示すフローチャートである。
【００３１】
まずステップＳ８０１において、文書画像理解データ１１０から部分画像の画像タイプを抽出し、次にステップＳ８０２に進み、その画像タイプが『二値画像タイプ』かどうかを調べ、そうであればでステップＳ８０３に進み、二値画像の黒、白画素をそれぞれ２４ビット多値画像の黒、白画素に変換する疑似２４ビット化の処理を行う。ここでは、二値画像の黒画素は“１”、白画素は“０”であり、２４ビット多値画像の黒画素はＲ＝０、Ｇ＝０、Ｂ＝０であり、白画素はＲ＝２５５、Ｇ＝２５５、Ｂ＝２５５（Ｒは赤成分、Ｇは緑成分、Ｂは青成分で各８ビットの値を持つ）としている。
【００３２】
またステップＳ８０２において、その部分画像の画像タイプが『２４ビット多値画像タイプ』であればステップＳ８０４に進み、そのままの部分画像を合成に用いる。こうしてステップＳ８０４において、下地画像と部分画像に対し、部分画像の各画素の論理演算を行って合成画像を作成する。
【００３３】
本実施の形態では、下地画像の白画素（Ｒ＝２５５，Ｇ＝２５５、Ｂ＝２５５）と部分画像の黒画素（Ｒ＝０，Ｇ＝０，Ｂ＝０）の合成画像が黒画素（Ｒ＝０，Ｇ＝０，Ｂ＝０）となるような論理演算を用いている。
【００３４】
［実施の形態２］
次に本発明の実施の形態２について説明する。この実施の形態２では、前述の図３のステップＳ３０４の文書画像理解保存処理において、画像データの保存時に画像データの圧縮を行うとともに、更に画像タイプの違いに応じて適応的に圧縮方式を変更するようにしている。
【００３５】
以下、本実施の形態に係る文書画像理解保存処理の流れについて図１０のフローチャートを参照して説明する。
【００３６】
まずステップＳ６０１で、各分割領域のレイアウト解析データ１０７を分析して各領域の属性を求める。次にステップＳ６０２に進み、その属性が『テキスト』かどうかを調べ、そうであればステップＳ６０３に進み、切り取り先全体画像として二値画像データ１０５を選択し、次にステップＳ６０５に進み、レイアウト解析データ１０７の各領域の座標データを用いて部分画像を切り取る。
【００３７】
またステップＳ６０２で、その部分画像の属性が『テキスト』でなかった場合はステップＳ６０４に進み、切り取り先全体画像として原画像である多値画像を選択し、ステップＳ６０５で、レイアウト解析データ１０７の各領域の座標データを用いて部分画像を切り取る。ここまでは前述の図５の処理（実施の形態１）と同様である。
【００３８】
次にステップＳ６０６に進み、その切り取った部分画像の画像タイプを調べ、二値画像であればステップＳ６０７に進み、二値画像の圧縮処理を施し（例えばＭＭＲ等）、その圧縮した部分画像を、ステップＳ６０９において文書画像理解データ１１０（図１１）として保存する。この時、文書画像理解データ１１０に、その画像データを圧縮した圧縮方式も記録しておくことにより、その文書画像理解データの再生処理において、その圧縮画像を復号することができる。
【００３９】
またステップＳ６０６において調べた結果が、多値画像であったならばステップＳ６０８に進み、多値画像用の圧縮処理を施し（例えばＪＰＥＧ等）、その圧縮した部分画像を文書画像理解データ１１０（図１１）として保存する。次にステップＳ６１０に進み、残りの分割領域が存在しているか否かを調べ、存在していればステップＳ６０１に戻り、残りの分割領域について上記の処理を繰り返す。また残りの分割領域が存在していなければ、この文書画像理解保存処理を終了する。
【００４０】
図１１は、本発明の実施の形態２に係る文書画像理解データ１１０の一例を説明する図である。
【００４１】
対象となったレイアウト領域データのレイアウト解析データ１０７内での出現順位を、そのレイアウト領域データのＩＤとし、切り取り幅、切り取り高さ、画像タイプ、圧縮方式、画像サイズ及び、その圧縮した切り取り画像を部分画像データとして保存する。ここでは画像タイプとして二値画像「１」と２４ビット多値画像「２」に分類し、更に圧縮方式としてＭＭＲ（二値画像用）「１」とＪＰＥＧ（多値画像用）「２」とに分類している。
【００４２】
［実施の形態３］
次に本発明の実施の形態３について説明する。この実施の形態３では、文書画像理解データ１１０の各部分画像をそれぞれ１つの画像として出力する。
【００４３】
図１２は、この実施の形態３に係る文書画像理解再生処理（図７のステップＳ４０２の処理に相当）を説明するフローチャートである。
【００４４】
まずステップＳ９０１において、文書画像理解データ１１０から部分画像データを取り出し、次にステップＳ９０２に進み、その取り出した部分画像を１ページ分の画像として出力用のバッファに貯めておく。次にステップＳ９０３に進み、残りの部分画像が存在しているか否かを調べ、存在していればステップＳ９０１に戻り、残りの部分画像について上記の処理を繰り返す。そしてステップＳ９０３で、残りの部分画像が存在していなければ、この文書画像理解再生処理を終了する。
【００４５】
［実施の形態４］
次に本発明の実施の形態４について説明する。この実施の形態４では、文書画像理解データの各部分画像をそれぞれ１つの画像として出力する際に、部分画像の属性によって選択するようにしている。
【００４６】
図１３は、この実施の形態４に係る文書画像理解再生処理（図７のステップＳ４０２の処理に相当）を説明するフローチャートである。
【００４７】
まずステップＳ１００１において、文書画像理解データ１１０から部分画像を取り出し、次にステップＳ１００２に進み、その部分画像の属性を調べる。ここでもし、その属性が『テキスト』であればステップＳ１００３に進んで１ページ画像作成処理を実行し、その取り出した部分画像を１ページの画像として出力用のバッファに格納する。ステップＳ１００２で、その属性が『テキスト』でなければステップＳ１００４に進み、その部分画像に対しての処置はせず、次の処理へと進む。こうしてステップＳ１００４において、残りの部分画像が存在しているか否かを調べ、存在していればステップＳ１００１に戻り、残りの部分画像について上記の処理を繰り返す。こうして全ての部分画像に対する処理が終了すると、この文書画像理解再生処理を終了する。
【００４８】
［実施の形態５］
次に本発明の実施の形態５について説明する。この実施の形態５では、文書画像理解保存処理前に再生レベルを設定して部分画像を１ページに合成するか、各ページに分けて出力するかを選択可能にしている。
【００４９】
図１４は、本発明の実施の形態５に係る、文書画像理解データが配信された利用先における処理を示すフローチャートである。
【００５０】
まずステップＳ１１０１で、文書画像理解データ１１０の部分画像を１ページに合成するか、各ページに分けて出力するかの設定（以下、再生レベルと呼ぶ）を行う。ここでは「レベル１」であれば１ページに合成して出力とし、「レベル２」であれば部分画像毎に１ページとして出力ものとする。
【００５１】
次にステップＳ１１０２において、文書理解保存データ入力部１１１により文書画像理解データ１１０を入力し、次にステップＳ１１０３において、この文書画像理解データ１１０から適応的に再生条件を変更しながら再生すべき文書画像データ１１３を作成し、その文書画像データ１１３を基に画像出力部１１４であるモノクロプリンタから再生画像を出力文書として出力する（Ｓ１１０４）。
【００５２】
図１５は、本実施の形態５に係るステップＳ１１０３の文書画像理解再生処理を示すフローチャートである。
【００５３】
まずステップＳ１２０１において、前述のステップＳ１１０１で設定された再生レベルを調べ、「レベル１」（１ページ合成出力）であればステップＳ１２０２に進み、再生文書画像の下地となる画像を白い下地となるように作成する。次にステップＳ１２０３に進み、文書画像理解データ１１０から部分画像データを取り出し、ステップＳ１２０４において、その取り出した部分画像とその座標データから白い下地画像と合成して再生画像を作成する。そしてステップＳ１２０５で、全ての部分画像に対する処理が終了したかを調べ、そうでなければステップＳ１２０３に戻り、前述の処理を実行する。こうして全ての部分画像に対する処理が終了すると、この文書画像理解再生処理を終了する。これらステップＳ１２０２乃至Ｓ１２０５の処理は、前述の図７のステップＳ７０１乃至Ｓ７０４の処理と同じである。従って、ステップＳ１２０４における再生合成処理の一例としては、前述の図９に示すように、ステップＳ８０１において文書画像保存データから部分画像の画像タイプを抽出し、ステップＳ８０２において、画像タイプが『二値画像タイプ』であればステップＳ８０３に進み、二値画像の黒、白画素をそれぞれ２４ビット多値画像の黒、白画素に変換する疑似２４ビット化の処理を行う。
【００５４】
またステップＳ１２０１において、再生レベルが「レベル２」（部分画像ごと）であればステップＳ１２０６に進み、その文書画像理解データ１１０から部分画像データを取り出し、ステップＳ１２０７において、その取り出した部分画像を１ページ分の画像として出力用のバッファに格納する。そしてＳ１２０８において、残りの部分画像が存在しているか否かを調べ、存在していればステップＳ１２０６に戻り、残りの部分画像について上記の処理を繰り返す。こうしてステップＳ１２０５或はステップＳ１２０８において、残りの部分画像が存在していなければ、この文書画像理解再生処理を終了する。尚、これらステップＳ１２０６乃至Ｓ１２０８の処理は、前述の図１２のフローチャート（実施の形態３）のステップＳ９０１乃至ステップＳ９０３の処理と同様である。
【００５５】
なお本発明は、複数の機器（例えばホストコンピュータ、インターフェース機器、リーダ、プリンタなど）から構成されるシステムに適用しても、一つの機器からなる装置（例えば、複写機、ファクシミリ装置など）に適用してもよい。
【００５６】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはCPUやMPU）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム(OS)などが実際の処理の一部または全部を行い、その処理によって前述した実施形態の機能が実現される場合も含まれる。
【００５７】
更に、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるCPUなどが実際の処理の一部または全部を行い、その処理によって前述した実施形態の機能が実現される場合も含まれる。
【００５８】
以上説明したように本実施の形態によれば、
▲１▼文書画像の保存時における、データ量を削減できる。
▲２▼文書画像の配信時におけるネットワーク・トラフィックへの負荷を軽減できる。
▲３▼文書画像の保存、配信時において、再利用に適した高画質が維持できる。
▲４▼出力時の文書画像の画質劣化や情報欠落を防止できる。
▲５▼ＤＴＰ（デスクトップパブリッシング）等の電子文書への再利用の容易化等が図れるという効果がある。
【００５９】
【発明の効果】
以上説明したように本発明によれば、入力した文書画像のデータ量を削減して記憶し、それらを読み出して高品位に再生できるという効果がある。
【図面の簡単な説明】
【図１】本発明の実施の形態に係る画像処理システムの機能構成を示す機能ブロック図である。
【図２】本実施の形態に係る画像処理システムの構成を示す概念図である。
【図３】本実施の形態に係る画像処理システムにおける画像入力から文書画像理解データ出力までの処理を示すフローチャートである。
【図４】本実施の形態に係るレイアウト解析データの構成を説明する図である。
【図５】本実施の形態１に係る文書画像理解保存処理（Ｓ３０４）を示すフローチャートである。
【図６】本実施の形態に係る文書画像理解データの構成を説明する図である。
【図７】本実施の形態に係る文書画像理解データの入力から再生画像の出力までの処理を示すフローチャートである。
【図８】本実施の形態に係る文書画像理解再生処理（Ｓ４０２）を示すフローチャートである。
【図９】本実施の形態に係るステップＳ７０３の再生画像合成処理を示すフローチャートである。
【図１０】本実施の形態２に係る文書画像理解保存処理（Ｓ３０４）を示すフローチャートである。
【図１１】本実施の形態２に係る文書画像理解データの構成を説明する図である。
【図１２】本実施の形態３に係る文書画像理解再生処理（Ｓ４０２）を示すフローチャートである。
【図１３】本実施の形態４に係る文書画像理解再生処理（Ｓ４０２）を示すフローチャートである。
【図１４】本実施の形態５に係る文書画像理解データの入力から再生画像の出力までの処理を示すフローチャートである。
【図１５】本実施の形態５に係る文書画像理解再生処理（Ｓ１１０３）を示すフローチャートである。
【図１】
0004109793.tif 000002
【図２】
0004109793.tif 000003
【図３】
0004109793.tif 000004
【図４】
0004109793.tif 000005
【図５】
0004109793.tif 000006
【図６】
0004109793.tif 000007
【図７】
0004109793.tif 000008
【図８】
0004109793.tif 000009
【図９】
0004109793.tif 000010
【図１０】
0004109793.tif 000011
【図１１】
0004109793.tif 000012
【図１２】
0004109793.tif 000013
【図１３】
0004109793.tif 000014
【図１４】
0004109793.tif 000015
【図１５】
0004109793.tif 000016